(57)【要約】【課題】筐体に取付けられた蓋部材の損傷を抑制できる電子機器用筐体及び電子機器を提供すること。【解決手段】所定の処理を実行する機器本体を内部に収納する電子機器用筐体は、機器本体を内部に収納する筐体２と、この筐体２に回動自在に取り付けられ、当該筐体２に形成された開口を筐体の外側で覆う蓋部材２３とを備え、蓋部材２３は、開口を閉塞する外板部材２３２と、外板部材２３２を着脱自在に支持する支持部材２３１とを備え、支持部材２３１には、筐体２内に挿入されるアーム２３１２が設けられ、筐体２には、筐体２の内外を連通し、アーム２３１２が挿入される挿入口２１１３２が形成され、筐体２内には、アーム２３１２を回動自在に支持する回動軸部２１５２が設けられている。【選択図】図１６
2008077437.tif 000002
【特許請求の範囲】
【請求項１】
所定の処理を実行する機器本体を内部に収納する電子機器用筐体であって、
前記機器本体を内部に収納する筐体と、
前記筐体に回動自在に取り付けられ、前記筐体に形成された開口を前記筐体の外側で覆う蓋部材とを備え、
前記蓋部材は、
前記開口を閉塞する外板部材と、
前記外板部材を着脱自在に支持する支持部材とを備え、
前記支持部材には、前記筐体内に挿入されるアームが設けられ、
前記筐体には、前記筐体の内外を連通し、前記アームが挿入される挿入口が形成され、
前記筐体内には、前記アームを回動自在に支持する回動軸部が設けられていることを特徴とする電子機器用筐体。
【請求項２】
請求項１に記載の電子機器用筐体において、
前記筐体は、角部を有する箱状に形成され、
前記角部には、前記筐体の内側に向かって没入した凹部が形成され、
前記開口及び前記挿入口は、前記凹部に対応する領域内に形成され、
前記外板部材は、前記凹部に応じた形状を有することを特徴とする電子機器用筐体。
【請求項３】
請求項１または請求項２に記載の電子機器用筐体において、
前記アームは、前記支持部材における前記蓋部材の回動軸に沿った方向の両端にそれぞれ設けられていることを特徴とする電子機器用筐体。
【請求項４】
請求項１から請求項３のいずれかに記載の電子機器用筐体において、
前記外板部材及び前記支持部材のいずれか一方には、前記蓋部材の回動軸と略直角方向に突出する第一突起が形成され、他方には、当該第一突起が挿入される第一穴が形成されていることを特徴とする電子機器用筐体。
【請求項５】
請求項４に記載の電子機器用筐体において、
前記外板部材には、前記支持部材側で前記回動軸の方向に沿って突出する２つのリブが形成され、
前記２つのリブのうちいずれか一方には、他方に対向する面に前記第一突起が形成され、
前記支持部材には、前記２つのリブの間に嵌合する嵌合部が形成され、
前記嵌合部における前記第一突起に対向する面には、当該第一突起が挿入される前記第一穴が形成されていることを特徴とする電子機器用筐体。
【請求項６】
請求項５に記載の電子機器用筐体において、
前記他方のリブには、前記第一突起の突出方向に没入した第二穴が形成され、
前記嵌合部における前記第二穴に対向する面には、面外方向に突出し、かつ、前記第二穴に挿入される第二突起が設けられていることを特徴とする電子機器用筐体。
【請求項７】
請求項１から請求項６のいずれかに記載の電子機器用筐体において、
前記回動軸部は、前記蓋部材の回動軸方向に沿った軸方向を有する略円柱状に形成され、
前記アームは、前記回動軸方向から見て前記回動軸に直角方向に延出する略Ｕ字状に形成され、かつ、当該略Ｕ字形状の一端が前記支持部材に接続され、他端には、前記回動軸部が挿入される穴が形成されていることを特徴とする電子機器用筐体。
【請求項８】
請求項１から請求項７のいずれかに記載の電子機器用筐体において、
前記蓋部材の回動範囲の所定の位置から一方向への回動時に、当該蓋部材を当該一方向に付勢し、前記所定の位置から他方向への回動時に、当該蓋部材を当該他方向に付勢する付勢手段が設けられていることを特徴とする電子機器用筐体。
【請求項９】
所定の処理を実行する機器本体と、前記機器本体を内部に収納する請求項１から請求項８のいずれかに記載の電子機器用筐体とを備えていることを特徴とする電子機器。
【請求項１０】
請求項９に記載の電子機器において、
前記開口は、所定の情報を記憶した半導体メモリカードを挿抜するための開口であり、
前記機器本体は、前記開口を介して挿入された前記半導体メモリカードに対して情報の読取及び書込の少なくともいずれかを実行することを特徴とする電子機器。
【発明の詳細な説明】
【技術分野】
【０００１】
本発明は、電子機器用筐体及びこの電子機器用筐体を備えた電子機器に関する。
【背景技術】
【０００２】
従来、電子機器として、ＣＰＵ（Central Processing Unit）等の集積回路を備えた情報処理装置が知られている。このような情報処理装置として、所定の演算処理を実行するパーソナルコンピュータ（Personal Computer，ＰＣ）や、ＣＤ（Compact Disc）、ＤＶＤ（Digital Versatile Disc）、ＢＤ（Blue-ray Disc；登録商標）等の光ディスクなどの記録媒体、及び、半導体メモリカードやＨＤＤ（Hard Disk Drive）等の記憶媒体に記録または記憶された画像及び音声情報を再生するディスク再生装置が知られている。
【０００３】
このような情報処理装置は、一般的に、使用者の操作に応じて所定の処理を行う機器本体と、この機器本体を収納する筐体とで構成されている。このような情報処理装置に用いられる筐体として、筐体に形成された開口を筐体の外側で覆う蓋部材を備え、この蓋部材が筐体に回動自在に取り付けられた構成が知られている（例えば、特許文献１参照）。
この特許文献１に記載の筐体では、蓋部材は、アッパーケースに形成された開口を覆う蓋部分と、この蓋部分を支持し、筐体に回動自在に取り付けられる支持部分とが、一体成形されている。このうちの支持部分は、筐体を構成するアッパーケースに回動自在に取り付けられており、蓋部材は、蓋部材及びアッパーケース間に設けられたコイルバネの付勢力を利用して開く構造になっている。
【０００４】
【特許文献１】特開２００１−３２０１８１号公報
【発明の開示】
【発明が解決しようとする課題】
【０００５】
しかしながら、特許文献１に記載の筐体では、蓋部材の蓋部分と支持部分とが一体成形されているため、構造上それ以上の回動が規制される角度を越えて蓋部材を回動させようとする力が作用した場合に、蓋部材が無理やり折り曲げられて、損傷していしまうおそれがある。このような場合には、蓋部材を交換する必要性が生じるが、蓋部材の蓋部分と支持部分とが一体成形されているので、蓋部材の一部のみが損傷した場合でも、蓋部材全体を交換しなければならない。この際、蓋部材を筐体から取り外すために、筐体を分解したり、蓋部材を付勢するコイルバネを外したりしなければならないため、蓋部材の交換が煩雑であるという問題がある。特に、支持部分が筐体内部に設けられている場合には、蓋部材を容易に交換できないため、さらに煩雑になるという問題がある。
【０００６】
本発明の目的は、筐体に取付けられた蓋部材の損傷を抑制できる電子機器用筐体及び電子機器を提供することにある。
【課題を解決するための手段】
【０００７】
前記した目的を達成するために、本発明の電子機器用筐体は、所定の処理を実行する機器本体を内部に収納する電子機器用筐体であって、前記機器本体を内部に収納する筐体と、前記筐体に回動自在に取り付けられ、前記筐体に形成された開口を前記筐体の外側で覆う蓋部材とを備え、前記蓋部材は、前記開口を閉塞する外板部材と、前記外板部材を着脱自在に支持する支持部材とを備え、前記支持部材には、前記筐体内に挿入されるアームが設けられ、前記筐体には、前記筐体の内外を連通し、前記アームが挿入される挿入口が形成され、前記筐体内には、前記アームを回動自在に支持する回動軸部が設けられていることを特徴とする。
【０００８】
本発明によれば、機器本体を収納する筐体に取り付けられる蓋部材は、筐体に形成された開口を筐体の外側で閉塞する外板部材と、外板部材を着脱自在に支持する支持部材とを備えており、外板部材と支持部材とが別部材で構成されている。
このため、回動軸部を支点に支持部材が回動されて蓋部材が開いた状態で、外板部材に対してさらに回動させる力が作用した場合に、外板部材が支持部材から外れることで、当該作用する力を逃がすことができる。したがって、支持部材が損傷することを防止できる。
また、支持部材には、筐体の挿入口に挿入されるアームが設けられ、筐体内には、当該アームを回動自在に支持する回動軸部が設けられているため、蓋部材は、筐体内で回動自在に支持される。このように蓋部材が筐体内部で支持されている構成であっても、前述のように、蓋部材の外板部材と支持部材とは別部材で構成されているため、たとえ外板部材が損傷した場合でも、外板部材を支持部材から取り外すことができる。このため、筐体を分解することなく、外板部材を容易に交換することができる。
さらには、蓋部材が筐体内部で支持されており、筐体外部から回動軸部は見えないため、筐体の美観を向上させることができる。
【０００９】
本発明では、前記筐体は、角部を有する箱状に形成され、前記角部には、前記筐体の内側に向かって没入した凹部が形成され、前記開口及び前記挿入口は、前記凹部に対応する領域内に形成され、前記外板部材は、前記凹部に応じた形状を有することが好ましい。
【００１０】
本発明によれば、開口及び挿入口は、筐体の内側に向かって没入した凹部に対応する領域内に形成され、外板部材は、凹部に応じた形状を有するため、蓋部材を筐体の外形に沿った形状に形成することができる。このため、筐体の美観を一層向上させることができる。
【００１１】
本発明では、前記アームは、前記支持部材における前記蓋部材の回動軸に沿った方向の両端にそれぞれ設けられていることが好ましい。
【００１２】
本発明によれば、アームは、支持部材における蓋部材の回動軸に沿った方向の両端にそれぞれ設けられているため、支持部材に対するアームの取り付け間隔を、回動軸方向に大きく取ることができる。これにより、支持部材の回動時に、アームに対するねじれの発生が低減されるので、支持部材を回動軸部に安定して取り付けることができるとともに、支持部材の損傷を防止できる。
また、アームは、支持部材における蓋部材の回動軸に沿った方向の両端にそれぞれ設けられているため、アームが、支持部材の回動範囲における中央部分を横切ることがない。このため、蓋部材で覆われる空間スペースを有効に利用することができる。
【００１３】
本発明では、前記外板部材及び前記支持部材のいずれか一方には、前記蓋部材の回動軸と略直角方向に突出する第一突起が形成され、他方には、当該第一突起が挿入される第一穴が形成されていることが好ましい。
【００１４】
本発明によれば、蓋部材の回動軸と略直角方向に突出する第一突起が、外板部材及び支持部材のいずれか一方に形成され、他方には、当該第一突起が挿入される第一穴が形成されているため、外板部材を支持部材に取り付けた際には、第一突起が第一穴に挿入されて、外板部材が支持部材に係止される。このため、第一突起を第一穴に挿入するだけで外板部材を支持部材に係止させることができるので、簡単に外板部材を支持部材に取り付けることができる。したがって、外板部材の交換を容易に行うことができる。
また、蓋部材が開いた状態で、外板部材に対してさらに回動させる力が作用した場合に、この力の作用方向に第一突起が突出しているので、外板部材を支持部材から外れ易くすることができる。このため、外板部材に作用する力を逃がすことができるので、支持部材が損傷することを効果的に防止できる。
【００１５】
本発明では、前記外板部材には、前記支持部材側で前記回動軸の方向に沿って突出する２つのリブが形成され、前記２つのリブのうちいずれか一方には、他方に対向する面に前記第一突起が形成され、前記支持部材には、前記２つのリブの間に嵌合する嵌合部が形成され、前記嵌合部における前記第一突起に対向する面には、当該第一突起が挿入される前記第一穴が形成されていることが好ましい。
【００１６】
本発明によれば、支持部材に形成された嵌合部は、外板部材で回動軸方向に沿って突出する２つのリブの間に嵌合し、当該２つのリブのうちいずれか一方には、他方に対向する面に第一突起が形成され、嵌合部における第一突起に対向する面には、第一突起が挿入される前記第一穴が形成されている。これによれば、支持部材の嵌合部を外板部材の２つのリブの間に嵌合させることで、第一突起が第一穴に挿入される。このため、嵌合部を２つのリブの間に嵌合させるだけで、外板部材を簡単に支持部材に係止させることができる。したがって、支持部材が確実に外板部材を支持できる他、外板部材の交換をさらに容易に行うことができる。
【００１７】
本発明では、前記他方のリブには、前記第一突起の突出方向に没入した第二穴が形成され、前記嵌合部における前記第二穴に対向する面には、面外方向に突出し、かつ、前記第二穴に挿入される第二突起が設けられていることが好ましい。
【００１８】
本発明によれば、外板部材に形成された２つのリブのうちの他方には、第一突起の突出方向に没入した第二穴が形成され、嵌合部における第二穴に対向する面には、面外方向に突出し、かつ、第二穴に挿入される第二突起が設けられている。これによれば、嵌合部を２つのリブの間に嵌合させた際には、第二突起が第二穴に挿入されるので、第一突起及び第一穴間の嵌合と、第二突起及び第二穴間の嵌合とで、外板部材を支持部材に係止させることができる。したがって、外板部材を支持部材に確実に係止することができる。
【００１９】
本発明では、前記回動軸部は、前記蓋部材の回動軸方向に沿った軸方向を有する略円柱状に形成され、前記アームは、前記回動軸方向から見て前記回動軸に直角方向に延出する略Ｕ字状に形成され、かつ、当該略Ｕ字形状の一端が前記支持部材に接続され、他端には、前記回動軸部が挿入される穴が形成されていることが好ましい。
【００２０】
本発明によれば、支持部材のアームは、回動軸方向から見て回動軸に直角方向に延出する略Ｕ字状に形成され、かつ、当該略Ｕ字形状の一端が支持部材に接続され、他端には、筐体内の回動軸部が挿入される穴が形成されているため、支持部材は、回動軸に直角方向に延出する略Ｕ字状のアームで、筐体に支持される。このため、アームが挿入される挿入口からは、支持部材の支持部分を見えづらくすることができる。したがって、筐体の美観をより向上させることができる。
また、回動軸部と支持部材との係合を容易にでき、筐体の組立工程を簡略化できる。
【００２１】
本発明では、前記蓋部材の回動範囲の所定の位置から一方向への回動時に、当該蓋部材を当該一方向に付勢し、前記所定の位置から他方向への回動時に、当該蓋部材を当該他方向に付勢する付勢手段が設けられていることが好ましい。
【００２２】
本発明によれば、付勢手段は、蓋部材の回動範囲の所定の位置から一方向への回動時に、当該蓋部材を当該一方向に付勢し、所定の位置から他方向への回動時に、当該蓋部材を当該他方向に付勢するため、蓋部材の開閉に要する力が低減される。したがって、大きな力を必要とせずに、簡単に蓋部材を開閉することができる。
【００２３】
本発明の電子機器は、所定の処理を実行する機器本体と、前記機器本体を内部に収納する前述した本発明の電子機器用筐体とを備えていることを特徴とする。
【００２４】
本発明によれば、前述した本発明の電子機器用筐体を備えているため、前述した効果を奏する電子機器が得られる。すなわち、蓋部材が開いた状態で、外板部材にさらに回動させる力が作用した場合に、外板部材が支持部材から外れることで、当該作用する力を逃がすことができるので、支持部材が損傷することを防止できる。
また、蓋部材の外板部材と支持部材とは別部材で構成されているため、たとえ外板部材が損傷した場合でも、外板部材を支持部材から取り外すことができる。このため、筐体を分解することなく、外板部材を容易に交換することができる。
さらには、蓋部材が筐体内部で支持されており、筐体外部から回動軸部は見えないため、筐体の美観を向上させることができる。
【００２５】
本発明では、前記開口は、所定の情報を記憶した半導体メモリカードを挿抜するための開口であり、前記機器本体は、前記開口を介して挿入された前記半導体メモリカードに対して情報の読取及び書込の少なくともいずれかを実行することが好ましい。
【００２６】
このような本発明によれば、半導体メモリカードを挿抜するための開口が、蓋部材により閉塞されるため、この開口から埃やゴミが入り込むのを防止することができ、機器本体において、半導体メモリカードの情報の読取不良や書込不良が発生することを防止できる。
【発明を実施するための最良の形態】
【００２７】
以下、本発明の一実施形態を図面に基づいて説明する。
（１）情報処理装置１の構成
図１は、本実施形態に係る情報処理装置１を正面側から見た斜視図であり、図２は、蓋部材２３を開放した状態の情報処理装置１を正面側から見た斜視図である。
本実施形態の情報処理装置１は、使用者が操作するコントローラ（図示略）からの指示に応じて、あるいは自動で、ＣＤ、ＤＶＤ及びＢＤ等の光ディスク等の記録媒体や、各種半導体メモリカード及びＨＤＤ等の記憶媒体に記録または記憶された情報、並びに、接続されたネットワークから情報を取得し、当該取得情報に含まれる画像情報及び音声情報を再生するほか、当該取得情報に含まれるプログラムを実行する電子機器である。また、この情報処理装置１は、使用する光ディスクの種類によっては、当該光ディスクに対する情報の記録を行うことができるほか、装着された半導体メモリカード及びＨＤＤ等の記憶媒体への情報の記録を行うことができるように構成されている。このような情報処理装置１は、図示を省略するが、テレビジョン受像機等の画像表示装置と電気的に接続されており、コントローラを使用者が操作することにより、使用者の操作に応じた所定の処理を行い、当該処理結果から画像信号及び音声信号を当該画像表示装置に出力する。
この情報処理装置１は、電子機器用筐体としての外装筐体２（図１〜図７）と、当該外装筐体２内に収納される機器本体としての装置本体３（図８）とを備えて構成されている。
【００２８】
（２）外装筐体２の構成
外装筐体２は、図１及び図２に示すように、全体略楕円柱状を有している。このような外装筐体２は、蓋部材２３及び化粧板２４が取り付けられる上部筐体２１と、下部筐体２２とから構成されている。
【００２９】
（2-1）上部筐体２１の構成
上部筐体２１は、円弧状の湾曲部分及び角部を有する箱型形状に形成され、下部筐体２２と組み合わされてねじ固定される。この上部筐体２１には、正面部２１１（図１、図２及び図４）、上面部２１２（図３及び図４）、側面部２１３（図１、図２及び図４），２１４（図３）、及び内面部２１５（図５）が形成され、上部筐体２１の内面部２１５側には、装置本体３の一部を収納するための開口２１６（図５）が形成されている。
【００３０】
正面部２１１は、図１及び図２において示す手前側の部分であり、当該正面部２１１の略中央及び左端には、面外方向に突出する突出部２１１１，２１１２が設けられている。これら突出部２１１１，２１１２に挟まれた領域には、上部筐体２１の内側に向かって没入した凹部としてのカードスロット部２１１３が形成されており、当該カードスロット部２１１３には、図２に示すように、各種半導体メモリカード（以下、「メモリカード」と略す場合がある）を挿抜可能な３つの開口２１１３１が形成されている。これら開口２１１３１を介して、外装筐体２内に設けられた後述するリーダライタ３５１（図８）の各種メモリカードに対応する挿入部が露出する。
【００３１】
突出部２１１１，２１１２及びカードスロット部２１１３が形成された領域には、当該突出部２１１１，２１１２及びカードスロット部２１１３を覆う蓋部材２３が回動自在に設けられている。詳細については後で説明するが、蓋部材２３は、正面部２１１の長手方向に沿った回動軸を中心として上方に回動することにより、カードスロット部２１１３を開放し、下方に回動することにより、カードスロット部２１１３を閉塞する。この蓋部材２３は、上部筐体２１の内面部２１５（図５）側で軸支されるため、カードスロット部２１１３における長手方向の両端側には、蓋部材２３を支持するアーム２３１２，２３１３を挿入可能な挿入口２１１３２が形成されている。
正面部２１１の右側には、直径１２ｃｍの光ディスクに対応したディスク挿入口２１１４が正面部２１１の長手方向に沿って形成されている。このディスク挿入口２１１４に挿入された光ディスクは、後述する装置本体３を構成するディスクユニット３３（図８）に挿入される。
【００３２】
図３は、化粧板２４をずらした状態の情報処理装置１を背面側から見た斜視図であり、図４は、化粧板２４を外した状態の情報処理装置１を正面側から見た斜視図である。
上部筐体２１の上面部２１２には、図３に示すように、当該上面部２１２を覆う化粧板２４が摺動自在に取り付けられている。この化粧板２４は、上面部２１２の湾曲形状に沿うように形成され、当該上面部２１２の長手方向に沿って摺動させることにより、上面部２１２に取り付けられる。
【００３３】
このような化粧板２４を取り外すと、図４に示すように、上面部２１２に形成された一対の溝部２１２１、複数の係合部２１２２及び複数のねじ挿入口２１２３が露出する。
このうち、溝部２１２１は、上面部２１２の短手方向の両端において、当該上面部２１２の長手方向に沿って形成され、化粧板２４の上面部２１２に沿った摺動を案内する。係合部２１２２は、化粧板２４の裏面（上面部２１２と対向する面）に突設され、かつ、略鉤状を有する係止部（図示省略）と係合して、上面部２１２から化粧板２４が外れることを防止する。ねじ挿入口２１２３には、上部筐体２１と装置本体３とを固定するねじが挿入される。
また、側面部２１４の長手方向両端には、図３に示すように、ゴム等により形成された脚部２１４１が設けられている。
【００３４】
図５は、上部筐体２１の内面部２１５を示す斜視図であり、図６は、図５の部分拡大図である。
上部筐体２１の内面部２１５には、図５及び図６に示すように、カードスロット部２１１３（図２）の内側に対応する部分に、内面部２１５から面外方向に突出した突出部２１５１と、蓋部材２３（図１及び図２）を回動自在に支持する回動軸部２１５２と、蓋部材２３及び内面部２１５間の干渉を防止するための凹部２１５３とが形成されている。また、側面部２１４の内側に対応する部分には、付勢手段としてのねじりばね２３Ａを固定するばね固定部２１５４が設けられている。なお、ねじりばね２３Ａの詳細については、後で説明する。
【００３５】
突出部２１５１は、図５及び図６に示すように、内面部２１５におけるカードスロット部２１１３（図２）の内側に対応する部分で、カードスロット部２１１３の長手方向の両端に設けられた挿入口２１１３２に対応して形成されている。具体的に、突出部２１５１は、側面視略半円状に形成され、径方向がカードスロット部２１１３の長手方向に直角になるように内面部２１５に突設されている。そして、これら突出部２１５１には、回動軸部２１５２が形成されている。
回動軸部２１５２は、略円柱状に形成され、突出部２１５１の互いに対向する側面に垂直に設けられている。すなわち、回動軸部２１５２の突出方向は、カードスロット部２１１３の長手方向に沿う方向となっている。これら回動軸部２１５２に、蓋部材２３が回動自在に支持される。
凹部２１５３は、回動軸部２１５２に対応するように内面部２１５に没入して形成され、蓋部材２３の回動時における蓋部材２３及び内面部２１５間の干渉を防止する。
【００３６】
ばね固定部２１５４は、図６に示すように、側面部２１４（図３）の内側に対応する部分で、開口２１６の端縁２１６１寄りの位置に突設されており、それぞれ側面視略Ｌ字状の鉤形状に形成された第一鉤状部２１５４１と第二鉤状部２１５４２とを備えている。
第一鉤状部２１５４１は、鉤形状の先端が開口２１６の深さ方向と反対側に向いた状態で、内面部２１５に突設されている。
一方、第二鉤状部２１５４２は、第一鉤状部２１５４１に較べて小さい幅寸法を有して形成され、鉤形状の先端が開口２１６の深さ方向に向いた状態で、第一鉤状部２１５４１の突出方向と同じ方向に突出して、第一鉤状部２１５４１に形成されている。
【００３７】
（2-2）下部筐体２２の構成
下部筐体２２は、図１及び図２に示すように、直方体と半円柱とを組み合わせた形状を有し、半円柱状部分を向い合わせるように前述の上部筐体２１と組み合わさる。
この下部筐体２２には、正面部２２１（図１及び図２）、側面部２２２（図１及び図２），２２３（図３）、背面部２２４（図３）、及び底面部２２５（図７）が形成されている。
【００３８】
正面部２２１（図１及び図２における手前側の部分）の左側には、４つの略矩形状を有する開口２２１１が形成されている。これら開口２２１１を介して、装置本体３を構成する制御基板５（図８）に設けられ、かつ、ＵＳＢ（Universal Serial Bus）規格に準拠したＡ端子を接続可能な端子がそれぞれ露出する。
【００３９】
側面部２２３の両端には、図３に示すように、ゴム等により形成された脚部２２３１が形成されている。この側面部２２３に形成された脚部２２３１、及び、上部筐体２１の側面部２１４に形成された脚部２１４１を設置面に当接させるように配置することで、情報処理装置１の縦置きが可能となっている。
また、側面部２２３の略中央には、略矩形状の開口２２３２が形成されており、当該開口２２３２を介して、図示しないＨＤＤユニットが取り付けられる。この開口２２３２は、当該開口２２３２に応じた形状を有する蓋部材２５により閉塞されている。
【００４０】
背面部２２４には、図３に示すように、外装筐体２内部に収納された制御基板５に設けられた各種端子が露出する開口２２４１〜２２４４が、当該背面部２２４の長手方向に沿って形成されている。
具体的に、開口２２４１には、ＨＤＭＩ（High-Definition Multimedia Interface）端子を接続可能な端子が露出し、開口２２４２には、ＩＥＥＥ８０２．３ｉに準拠し、１０Ｂａｓｅ−Ｔ及び１００Ｂａｓｅ−ＴＸ等のＬＡＮ（Local Area Network）ケーブルが接続可能な端子が露出する。また、開口２２４３には、ＵＳＢ規格に準拠したＢ端子が接続可能な端子が露出し、開口２２４４には、一端側に映像用の１本の端子及び音声用の２本の端子が設けられた同軸ケーブルの他端側が接続可能な端子が露出する。
さらに、背面部２２４における右端には、主電源をオン／オフする電源スイッチ２２４５が設けられ、当該電源スイッチ２２４５の下方に、電源ケーブル（図示省略）が接続されるインレットコネクタ２２４７が露出する開口２２４６が形成されている。
【００４１】
図７は、情報処理装置１を下方から見た斜視図である。
下部筐体２２の底面部２２５は、下部筐体２２における上部筐体２１とは反対側の直方体部分の底面に対応する部分である。この底面部２２５の四隅には、ゴムにより形成された複数の脚部２２５１が設けられている。これら脚部２２５１を設置面に当接させるようにして情報処理装置１を配置することで、当該情報処理装置１の横置きが可能となっている。
【００４２】
（３）装置本体３の構成
図８は、装置本体３を示す分解斜視図である。
装置本体３は、使用者の操作に応じた所定の処理を実行する本体部分であり、外装筐体２内に収納されている。この装置本体３は、図８に示すように、制御ユニット３１、冷却ユニット３２、ディスクユニット３３、電源ユニット３４、リーダライタユニット３５、及び板ばね３６を備えて構成されている。そして、装置本体３は、これら各ユニット３１〜３５及び板ばね３６が互いにねじ等により固定され、一体的に組み合わさっている。
【００４３】
制御ユニット３１は、装置本体３、ひいては、情報処理装置１の駆動を制御するユニットである。この制御ユニット３１は、図８に示すように、メインフレーム４と、制御基板５と、サブフレーム６とを備えて構成されており、制御基板５及びサブフレーム６は、メインフレーム４に対して位置決めされる。
このうち、メインフレーム４は、後述するサブフレーム６とともに制御基板５を挟持し、後述する冷却ユニット３２に接続されるフレーム部材である。このメインフレーム４は、平面視略長方形状を有する平板状に形成され、放熱及びＥＭＩ（Electro Magnetic Interference、電磁干渉）を考慮してアルミ等の金属により形成されている。
【００４４】
制御基板５は、装置本体３、ひいては、情報処理装置１全体を制御するものであり、詳しい図示を省略したが、集積回路であるＣＰＵ及びＧＰＵ（Graphics Processing Unit）のほか、ＲＡＭ（Random Access Memory）、ＲＯＭ（Read Only Memory）、及び、チップセット等の各種ＩＣ（Integrated Circuit）チップ等が実装された回路基板として構成されている。そして、制御基板５は、ＣＰＵ及びＧＰＵを含めた各種ＩＣチップが実装される面、すなわち、各ＩＣチップのケーシングが配置される下面を、メインフレーム４に対向させ、かつ、抵抗等の素子の端子が露出する上面を、サブフレーム６に対向させるようにして配置される。
【００４５】
サブフレーム６は、メインフレーム４とともに制御基板５を支持するとともに、後述するディスクユニット３３、電源ユニット３４及びリーダライタユニット３５を支持するフレーム部材である。このサブフレーム６は、メインフレーム４と同様に、放熱及びＥＭＩを考慮してアルミ等の金属により形成され、図８に示すように、平面視略長方形状の平板状に形成されている。
【００４６】
冷却ユニット３２は、板ばね３６により、制御ユニット３１と一体となり、当該制御ユニット３１を構成する制御基板５を冷却するほか、外装筐体２外部から冷却空気を導入する過程で、当該冷却空気の流路上に位置する電源ユニット３４等を冷却する冷却手段である。
【００４７】
ディスクユニット３３は、制御ユニット３１による制御下で、挿入された前述の各種光ディスクに記録された画像、映像及びプログラム等の情報を読出し、当該情報を、制御ユニット３１を構成する制御基板５に出力する。また、ディスクユニット３３は、挿入された光ディスクに対し、前述のような情報の記録を行う。
このディスクユニット３３は、詳しい図示を省略するが、ユニット本体３３１と、当該ユニット本体３３１を内部に収納する金属製の筐体３３２とを備えて構成されている。このうち、筐体３３２の正面には、直径１２ｃｍの光ディスクが挿抜される開口３３２１が形成されている。
【００４８】
電源ユニット３４は、装置本体３に駆動電力を供給するものである。具体的に、電源ユニット３４は、外装筐体２に設けられたインレットコネクタ２２４７（図３）に入力した商用交流電流を直流変換し、装置本体３を構成する各電子部品に応じた電圧に昇圧及び減圧して、当該各電子部品に供給する。この電源ユニット３４は、制御ユニット３１を構成する制御基板５に設けられた図示しない電源ピンと接続され、当該制御基板５を介して、各電子部品に駆動電力を供給する。
【００４９】
リーダライタユニット３５は、制御基板５による制御下で、前述の上部筐体２１のカードスロット部２１１３に形成された各開口２１１３１（図２）を介して挿入された各種メモリカードに対する情報の読取及び書込を実行する。このリーダライタユニット３５は、メモリカードが挿抜されるリーダライタ３５１と、当該リーダライタ３５１の動作を制御する基板３５２とを備えて構成されている。このうち、基板３５２には、制御基板５から制御信号が入力し、当該制御信号に応じた動作をリーダライタ３５１に実行させる。このようなリーダライタユニット３５は、後述する制御ユニット３１を構成するサブフレーム６上に支持固定される。
【００５０】
（４）蓋部材２３の構成
図９は、蓋部材２３（図１及び図２）を構成する支持部材２３１を示す斜視図であり、図１０は、支持部材２３１を図１０とは反対側から見た斜視図である。また、図１１は、支持部材２３１とともに蓋部材２３を構成する外板部材２３２を示す斜視図である。
蓋部材２３は、前述のように、上部筐体２１の内面部２１５に回動自在に取り付けられてカードスロット部２１１３を閉塞する部材であり、支持部材２３１と外板部材２３２とを備えて構成される。
【００５１】
（4-1）支持部材２３１の構成
支持部材２３１は、図９及び図１０に示すように、上部筐体２１の内面部２１５（図５）に回動自在に取り付けられる部材であり、外板部材２３２（図１１）が取り付けられる嵌合部としての外板部材取付部２３１１と、外板部材取付部２３１１の長手方向の両端に設けられたアーム２３１２，２３１３とを備えている。
外板部材取付部２３１１は、平面視長方形の平板状に形成されている。この外板部材取付部２３１１の長手方向に沿った一方の端縁には、長手方向に垂直な方向に突出する第二突起としての突起２３１１１が中央側に２箇所、両端側に１箇所づつ計４箇所に形成されている。また、他方の端縁には、第一穴としての穴２３１１２が、長手方向の中央及び両端部分の計３箇所に形成されている。
【００５２】
このように、突起２３１１１と穴２３１１２とは、互いに支持部材２３１を挟んで複数形成され、それぞれの並び方向が略平行となるように形成されている。つまり、突起２３１１１と穴２３１１２とは、それぞれの並び方向が支持部材２３１の回動軸に平行になるように、外板部材取付部２３１１に形成されている。
また、突起２３１１１と穴２３１１２とを較べた場合に、穴２３１１２の深さ寸法は、突起２３１１１の突出量に比べて小さく、また、穴２３１１２の数は、突起２３１１１の数よりも少なく形成されている。
【００５３】
アーム２３１２，２３１３は、側面視略Ｕ字状に形成されている。具体的に、アーム２３１２，２３１３は、側面視した場合に、外板部材取付部２３１１の短手方向、つまり外板部材取付部２３１１の回動軸に直角方向に延出する略Ｕ字状に形成され、Ｕ字形状の一端が、外板部材取付部２３１１に接続されている。このアーム２３１２，２３１３には、溝２３１２１，２３１３１が、Ｕ字形状の内側部分に沿ってそれぞれ形成され、アーム２３１２，２３１３の他端には、孔２３１２２，２３１３２が、外板部材取付部２３１１の長手方向に互いに対向して形成されている。この孔２３１２２，２３１３２には、それぞれ上部筐体２１の回動軸部２１５２が挿入され、これにより、支持部材２３１が回動軸部２１５２に回動自在に支持される。
このようなアーム２３１２，２３１３のうち、側面部２１４（図３）側の挿入口２１１３２に挿入されるアーム２３１２には、ねじりばね２３Ａ（図１２）を取り付けるためのばね取付孔２３１２３が、支持部材２３１の回動軸に平行に形成されている。
【００５４】
（4-2）外板部材２３２の構成
外板部材２３２は、図１１に示すように、支持部材２３１（図９及び図１０）に取り付けられてカードスロット部２１１３（図２）を覆う部材であり、上部筐体２１（図１及び図２）の上面部２１２（図３及び図４）の曲面に沿った形状に形成されている。具体的に、外板部材２３２は、カードスロット部２１１３の両側に形成された突出部２１１１，２１１２の側面形状に沿うように、側面視略Ｌ字状に形成されている。そして、外板部材２３２の支持部材２３１に対応する面には、当該外板部材２３２を支持部材２３１に係止させる際の位置決めに用いるリブ２３２１と、このリブ２３２１に対して互いに平行に形成されたリブ２３２２とが形成されている。
【００５５】
リブ２３２１は、外板部材２３２の短手方向の一端側で、かつ外板部材２３２の長手方向に沿って形成され、左右対称の位置にそれぞれ形成されている。このリブ２３２１の長手方向の両端部分には、リブ２３２１を貫通する第二穴としての孔２３２１１が形成されている。
一方、リブ２３２２は、リブ２３２１に対して外板部材２３２の短手方向の中央寄りで、かつ外板部材２３２の長手方向に沿って形成されている。このリブ２３２２におけるリブ２３２１と対向する側の面には、当該リブ２３２１に近接する方向に突出した第一突起としての突起２３２２１が、リブ２３２２の長手方向の中央部分及び両端部分にそれぞれ形成されている。
ここで、リブ２３２１に形成された孔２３２１１と、リブ２３２２に形成された突起２３２２１とを較べた場合に、突起２３２２１の突出量は、孔２３２１１の深さ寸法に比べて小さく、また、突起２３２２１の数は、孔２３２１１の数よりも少なく形成されている。
【００５６】
（4-3）蓋部材２３の組立工程
以下、蓋部材２３の組立工程について、具体的に説明する。
先ず、支持部材２３１の突起２３１１１側の端縁を外板部材２３２のリブ２３２１に当接させて、支持部材２３１の突起２３１１１が外板部材２３２のリブ２３２１の孔２３２１１に嵌まり込むようする。この際、突起２３１１１が孔２３２１１に嵌合することで、外板部材２３２が支持部材２３１に仮位置決めされる。
【００５７】
次に、支持部材２３１の突起２３１１１側の端縁を外板部材２３２のリブ２３２１に当接させたまま、リブ２３２１の長手方向を軸として、外板部材２３２に向けて支持部材２３１を回動させる。
この結果、外板部材２３２の突起２３２２１が、支持部材２３１の穴２３１１２に嵌合し、外板部材２３２が支持部材２３１に係止される。
【００５８】
図１２は、蓋部材２３（図１及び図２）が取り付けられた状態で上部筐体２１の内面部２１５を部分拡大して示す斜視図である。
蓋部材２３は、図１２に示すように、アーム２３１２，２３１３に形成された孔２３１２２，２３１３２（図１０及び図１１）に、上部筐体２１の回動軸部２１５２を挿入して、上部筐体２１の内面部２１５側に取り付けられる。
【００５９】
（５）ねじりばね２３Ａの構成
図１３は、ねじりばね２３Ａを示す平面図及び側面図である。
ねじりばね２３Ａは、図１３に示すように、付勢力を生じさせる第一巻線部２３Ａ１を中心に平面視略ハの字形状に形成され、第一巻線部２３Ａ１の他に、ハの字形状の一端側に設けられた第二巻線部２３Ａ２と、他端側で曲折された曲折部２３Ａ３とを備えている。このうち、第一巻線部２３Ａ１と第二巻線部２３Ａ２とは、ねじりばね２３Ａを形成する線部材を挟んで、互いの軸線が反対に位置するように設けられ、曲折部２３Ａ３は、第一巻線部２３Ａ１及び第二巻線部２３Ａ２の軸線方向と平行に形成されている。
このようなねじりばね２３Ａは、図１２に示すように、第二巻線部２３Ａ２が、上部筐体２１のばね固定部２１５４に掛止されており、曲折部２３Ａ３が、蓋部材２３のアーム２３１２に形成されたばね取付孔２３１２３に挿入されている。
【００６０】
（６）蓋部材２３の開閉動作
次に、蓋部材２３の開閉動作について、具体的に説明する。
図１４は、情報処理装置１を側面側から見た部分断面図である。図１５は、図１４において蓋部材を開けた状態を示す部分断面図であり、図１６は、図１５において蓋部材をさらに開けた状態を示す部分断面図である。
図１４に示すように、蓋部材２３が上部筐体２１の開口２１１３１（図２）を閉塞した状態で、外板部材２３２は、カードスロット部２１１３の両側に形成された突出部２１１１，２１１２の側面形状に沿うように、側面視略Ｌ字状に形成されている。このため、カードスロット部２１１３が形成された領域は、外板部材２３２と突出部２１１１，２１１２とによって、全体が覆われている。
また、蓋部材２３が上部筐体２１の開口２１１３１を閉塞した状態で、外板部材２３２は、上部筐体２１の上面部２１２の曲面に沿った形状に形成されている。これにより、外装筐体２の美観を向上させている。
【００６１】
この際、ねじりばね２３Ａは、図１３（Ａ）において実線で示す自由角度の状態から角度θ１だけねじられている。つまり、ねじりばね２３Ａは、蓋部材２３を閉方向に付勢した状態で、ばね固定部２１５４及びばね取付孔２３１２３に掛止されている。これによって、ねじりばね２３Ａが上部筐体２１及び支持部材２３１から外れることを防止している。
【００６２】
次に、蓋部材２３を、図１５に示すように、ねじりばね２３Ａの付勢力に逆らって開方向（矢印Ａの方向）に回動させる。この際、挿入口２１１３２は、上部筐体２１を上面部２１２側から見た場合には、外板部材２３２によって覆われ、上部筐体２１を正面部２１１側から見た場合には、アーム２３１２，２３１３によって遮蔽されている。このため、上部筐体の内部は、挿入口２１１３２から見ることができない。
【００６３】
ここで、蓋部材２３を、図１５に示す位置まで回動した場合には、上部筐体２１の回動軸部２１５２、ばね固定部２１５４、及び蓋部材２３のばね取付孔２３１２３は、略一直線上に並ぶため、ばね固定部２１５４とばね取付孔２３１２３とは、蓋部材２３の回動範囲中で最も近付くことになる。つまり、ねじりばね２３Ａは、図１５に示す蓋部材２３の位置を境として蓋部材２３に対する付勢方向が変化し、蓋部材２３が図１５に示す位置よりも開方向にある場合には開方向に、図１５に示す位置よりも閉方向にある場合には閉方向に、蓋部材２３を付勢する。この際、ねじりばね２３Ａは、図１３（Ａ）に示すように、実線で示す自由角度の状態から角度θ２だけねじられている。
【００６４】
さらに、蓋部材２３を、図１５に示す所定の位置を越えるように開方向に回動させると、蓋部材２３は、ねじりばね２３Ａにより開方向に付勢される。この際、ねじりばね２３は、図１３（Ａ）に示すねじれ角θ２の状態から、ねじれ角θ１の状態へと向かうため、ねじりばね２３による付勢力は徐々に低下していく。蓋部材２３は、低下していく付勢力で付勢されて、図１６に示すように、挿入口２１１３２の端縁部分にアーム２３１２，２３１３が当接する。これにより、蓋部材２３は、回動が規制されて停止し、開いた状態を維持する。この際も、挿入口２１１３２は、アーム２３１２，２３１３により遮蔽されており、上部筐体の内部は、挿入口２１１３２から見ることができない。
また、蓋部材２３は、図１５に示す位置を越えてから、ばね２３Ａによって開方向に付勢されるため、大きな力を必要とせずに簡単に開けることができる。また、蓋部材２３は、ねじりばね２３Ａによって開方向に付勢されるため、自重で閉じてしまうことが防止される。
【００６５】
このような状態で、蓋部材２３の外板部材２３２にさらに開方向の力が作用した場合には、支持部材２３１は開方向の回動が規制されているので、外板部材２３２には、外板部材２３２のリブ２３２１（図１１）と支持部材２３１の外板部材取付部２３１１との当接部分を軸として、開方向に回動させる力が作用する。
ここで、リブ２３２１に対向するリブ２３２２の各突起２３２２１（図１１）と支持部材２３１の各穴２３１１２（図１０）とは、それぞれが回動軸に平行に配置された状態で嵌合しており、また、突起２３１１１（図９）及び孔２３２１１（図１１）に較べて小さくかつ少ない数だけ形成されている。このため、リブ２３２２及び外板部材取付部２３１１間の摩擦力は、リブ２３２１及び外板部材取付部２３１１間の摩擦力に比べて小さく、外板部材２３２は支持部材２３１から容易に外れることができる。これによれば、外板部材２３２に作用する力を逃がすことができるので、蓋部材２３が損傷することを防止できる。
なお、外れた外板部材２３２は、前述した組立工程で支持部材２３１に組み立てることができる。
【００６６】
一方、蓋部材２３を閉じる場合には、蓋部材２３を、ねじりばね２３Ａの付勢力に逆らって、図１５に示す所定の位置を越えるように閉方向に回動させると、蓋部材２３は、図１５に示す位置を越えてから、ねじりばね２３Ａにより閉方向に付勢される。蓋部材２３は、ねじりばね２３Ａによりさらに閉方向に付勢され、カードスロット部２１１３が形成された領域は、図１４に示すように、完全に閉じられる。この際、蓋部材２３は、ねじりばね２３Ａによって閉方向に付勢されるため、簡単に閉めることができる。
【００６７】
（７）実施形態の効果
以上のような本実施形態の情報処理装置１によれば、以下の効果を奏することができる。
すなわち、情報処理装置１において、装置本体３を収納する外装筐体２に取り付けられる蓋部材２３は、上部筐体２１に形成された開口２１１３１を外装筐体２の外側で閉塞する外板部材２３２と、外板部材２３２を着脱自在に支持する支持部材２３１とから構成され、外板部材２３２と支持部材２３１とが別部材となっている。
このため、上部筐体２１の回動軸部２１５２を支点に支持部材２３１が回動され、蓋部材２３が開いた状態で、外板部材２３２にさらに開方向への力が作用した場合に、外板部材２３２が支持部材２３１から外れることで、この力を逃がすことができる。したがって、蓋部材２３が損傷することを防止できる。
【００６８】
また、支持部材２３１には、上部筐体２１の挿入口２１１３２に挿入されるアーム２３１２，２３１３が設けられ、外装筐体２内には、当該アーム２３１２，２３１３を回動自在に支持する回動軸部２１５２が設けられている。これにより、蓋部材２３は、外装筐体２内で回動自在に支持される。このように蓋部材２３が外装筐体２内部で支持されている構成であっても、蓋部材２３の外板部材２３２と支持部材２３１とは別部材で構成されているため、たとえ外板部材２３２が損傷した場合でも、外板部材２３２を支持部材２３１から取り外すことができる。このため、外装筐体２を分解することなく、外板部材２３２を容易に交換することができる。
さらには、蓋部材２３を支持する回動軸部２１５２が、外装筐体２の内部に設けられているため、外板部材２３２の形状を外装筐体２の外形に合わせた形状とすることができ、また、回動軸部２１５２を外装筐体２の外部から見えなくすることができる。このためため、外装筐体２の美観を向上させることができる。
【００６９】
情報処理装置１において、外装筐体２には、外装筐体２の内側に向かって没入したカードスロット部２１１３が形成され、開口２１１３１及び挿入口２１１３２は、このカードスロット部２１１３に対応する領域内に形成されている。また、外板部材２３２は、カードスロット部２１１３が形成された領域に応じた形状を有している。
このように、開口２１１３１及び挿入口２１１３２は、外装筐体２の内側に向かって没入したカードスロット部２１１３に形成され、外板部材２３２は、カードスロット部２１１３に応じた形状を有しているため、蓋部材２３を外装筐体２の外形に沿った形状に形成することができる。このため、外装筐体２の美観を一層向上させることができる。
【００７０】
外装筐体２の蓋部材２３において、アーム２３１２，２３１３は、支持部材２３１における蓋部材２３の回動軸に沿った方向の両端に設けられている。
このため、支持部材２３１に対するアーム２３１２，２３１３の取り付け間隔を、回動軸方向に大きく取ることができる。これにより、支持部材２３１の回動時に、アーム２３１２，２３１３に対するねじれの発生が低減されるので、支持部材２３１を回動軸部２１５２に安定して取り付けることができるとともに、支持部材２３１の損傷を防止できる。
また、アーム２３１２，２３１３は、支持部材２３１における蓋部材２３の回動軸に沿った方向の両端に設けられているため、アーム２３１２，２３１３ともが、支持部材２３１の回動範囲における中央部分を横切ることがない。このため、蓋部材２３で覆われる空間スペースを有効に利用することができる。
【００７１】
外装筐体２の蓋部材２３において、外板部材２３２には、蓋部材２３の回動軸と略直角方向に突出する突起２３２２１が形成され、支持部材２３１には、当該突起２３２２１が挿入される穴２３１１２が形成されている。
このため、外板部材２３２を支持部材２３１に取り付けた際には、突起２３２２１が穴２３１１２に挿入されて、外板部材２３２が支持部材２３１に係止される。これにより、突起２３２２１を穴２３１１２に挿入するだけで外板部材２３２を支持部材２３１に係止させることができるので、簡単に外板部材２３２を支持部材２３１に取り付けることができる。したがって、外板部材２３２の交換を容易に行うことができる。
また、蓋部材２３が開いた状態で、外板部材２３２にさらに開方向の力が作用した場合に、この力の作用方向に突起２３２２１が突出しているので、外板部材２３２を支持部材２３１から外れ易くすることができる。このため、外板部材２３２に作用する力を逃がすことができるので、蓋部材２３が損傷することを効果的に防止できる。
【００７２】
外装筐体２の蓋部材２３において、外板部材２３２には、支持部材２３１側で回動軸の方向に沿って突出する２つのリブ２３２１，２３２２が形成され、このうちのリブ２３２２には、リブ２３２１に対向する面に突起２３２２１が形成されている。また、支持部材２３１には、リブ２３２１，２３２２の間に嵌合する外板部材取付部２３１１が形成され、突起２３２２１に対向する面には、突起２３２２１が挿入される穴２３１１２が形成されている。
このため、支持部材２３１の外板部材取付部２３１１を外板部材２３２のリブ２３２１，２３２２の間に嵌合させることで、突起２３２２１が穴２３１１２に挿入される。したがって、外板部材取付部２３１１をリブ２３２１，２３２２の間に嵌合させるだけで、外板部材２３２を簡単に支持部材２３１に係止させることができるので、外板部材２３２の交換をさらに容易に行うことができる。
【００７３】
一方、リブ２３２１には、突起２３２２１の突出方向に没入した孔２３２１１が形成され、外板部材取付部２３１１における孔２３２１１に対向する面には、面外方向に突出するとともに、孔２３２１１に挿入される突起２３１１１が設けられている。
このため、外板部材取付部２３１１をリブ２３２１，２３２２の間に嵌合させた際には、外板部材取付部２３１１の突起２３１１１が、リブ２３２１の孔２３２１１に挿入される。したがって、突起２３２２１及び穴２３１１２間の嵌合と、突起２３１１１及び孔２３２１１間の嵌合とで、外板部材２３２を支持部材２３１に係止させることができるので、外板部材２３２を支持部材２３１に確実に係止することができる。
【００７４】
外装筐体２において、回動軸部２１５２は、蓋部材２３の回動軸方向に沿った軸方向を有する略円柱状に形成されている。また、蓋部材２３のアーム２３１２，２３１３は、回動軸方向から見て回動軸に直角方向に延出する略Ｕ字状に形成されている。このような略Ｕ字形状のアーム２３１２，２３１３の一端は、支持部材２３１に接続されており、他端には、回動軸部２１５２が挿入される穴２３１１２が形成されている。
これにより、支持部材２３１は、回動軸に直角方向に延出する略Ｕ字状のアーム２３１２，２３１３で、外装筐体２内に支持される。このため、アーム２３１２，２３１３が挿入される挿入口２１１３２に対して、回動軸部２１５２を上面部２１２側に設けることができるので、支持部材２３１の支持部分を見えずらくすることができる。したがって、筐体の美観をより向上させることができる。
【００７５】
外装筐体２内には、ねじりばね２３Ａが設けられ、ねじりばね２３Ａは、第二巻線部２３Ａ２が、上部筐体２１のばね固定部２１５４に固定されており、曲折部２３Ａ３が、蓋部材２３のばね取付孔２３１２３に挿入され固定されている。
このため、蓋部材２３は、所定の位置からの開方向への回動時に開方向に付勢され、所定の位置から閉方向への回動時に閉方向に付勢される。これにより、蓋部材２３は、大きな力を必要とせずに、簡単に開閉することができるようになる。
この際、ねじりばね２３Ａの付勢力は、蓋部材２３が開いていくにしたがって、または、閉じていくにしたがって徐々に低下するため、蓋部材２３が上部筐体２１に当接する際のショックを和らげることができる。
また、蓋部材２３は、所定の位置よりも開方向の位置では、ねじりね２３Ａによって開方向に付勢されるため、自重で閉じてしまうことが防止される。
【００７６】
外装筐体２において、カードスロット部２１１３の開口２１１３１は、半導体メモリカードを挿抜するための開口であり、装置本体３は、開口２１１３１を介して挿入された半導体メモリカードに対して情報の読取及び書込を実行する。
これによれば、半導体メモリカードを挿抜するための開口が、蓋部材２３により閉塞されるため、この開口から埃やゴミが入り込むのを防止することができ、機器本体において、半導体メモリカードの情報の読取不良や書込不良が発生することを防止できる。
【００７７】
（８）実施形態の変形
なお、本発明は前述の実施形態に限定されるものではなく、本発明の目的を達成できる範囲での変形、改良等は本発明に含まれるものである。
例えば、前記実施形態では、蓋部材２３は、上部筐体２１に形成された開口２１１３１を覆っていたがこれに限られず、蓋部材２３が、外装筐体２の外側で外装筐体２の一部を覆うように構成されていればよい。
【００７８】
前記実施形態では、開口２１１３１及び挿入口２１１３２は、上部筐体２１の内側に向かって没入した凹部としてのカードスロット部２１１３に形成されていたがこれに限られない。要は、外装筐体２に形成されていればよく、例えば、開口２２３２のように側面部２２３に形成された開口であってもよい。
【００７９】
前記実施形態では、アーム２３１２，２３１３は、支持部材２３１における蓋部材２３の回転軸に沿った方向の両端に設けられていたがこれに限られず、例えば、支持部材２３１における回転軸に沿った方向の中央部に複数設けられていてもよい。また、いずれか１つのアームのみが、支持部材２３１に設けられていてもよい。
【００８０】
前記実施形態では、支持部材２３１には、突起２３１１１及び穴２３１１２がそれぞれ形成され、外板部材２３２には、孔２３２１１及び突起２３２２１がそれぞれ形成されていたがこれに限られず、例えば、支持部材２３１には、穴２３１１２のみが形成され、外板部材２３２には、孔２３２１１のみが形成されていてもよい。この場合であっても、支持部材２３１が外板部材２３２から容易には外れない程度に、リブ２３２１，２３２２間の寸法を小さくしたり、リブ２３２１における支持部材２３１と当接する側の面の摩擦係数が高くなるように、リブ２３２１を加工したりすることで、支持部材２３１に外板部材２３２を係止させることができる。
【００８１】
また、このように支持部材２３１の突起２３１１１と外板部材２３２の孔２３２１１が形成されていない場合であれば、外板部材２３２のリブ２３２２を側面視略Ｌ字形状に形成して、略Ｌ字形状の先端部を外板部材取付部２３１１におけるアーム２３２３，２３１３が設けられた側とは反対側の面に当接させ、外板部材２３２が支持部材２３１に係止されるようにしてもよい。
さらには、支持部材２３１と外板部材２３２には、突起２３１１１，２３２２１、穴２３１１２、及び孔２３２１１が形成されていなくてもよく、例えば、外板部材取付部２３１１の長手方向に沿った一方の両端縁に、アーム２３１２，２３１３と反対側に向うに従って外側に傾斜するテーパを形成し、このテーパに対応したテーパを、リブ２３２１，２３２２の外板部材取付部２３１１と当接する側に形成してもよい。この場合にも、突起２３１１１，２３２２１、穴２３１１２、及び孔２３２１１が形成された場合と同様の効果を奏することができる。
【００８２】
前記実施形態では、回動軸部２１５２は、上部筐体２１内の突出部２１５１に形成されていたがこれに限られない。要は、回動軸部２１５２が、外装筐体２内に設けられていればよく、例えば、上部筐体２１の内面部２１５に没入して形成された凹部２１５３の側面部分に形成されてもよい。
また、前記実施形態では、回動軸部２１５２が略円柱状に形成され、アーム２３１２，２３１３に孔２３１２２，２３１３２が形成されていたがこれに限られず、例えば、アーム２３１２，２３１３に略円柱状のピンが形成され、このビンを支持する穴を外装筐体２内に形成してもよい。つまり、蓋部材２３が外装筐体２内に支持されていればよく、そのための構成は限定されない。
【００８３】
前記実施形態では、開口２１１３１は、半導体メモリカードを挿抜するための開口でなくてもよく、例えば、ディスク挿入口２１１４であってもよい。
さらに、前記実施形態では、電子機器として情報処理装置１が用いられていたが、他の電子機器であってもよい。例えば、ＰＣ等において、ＵＳＢ端子等の開口を覆う蓋部材を有する筐体に対しても、本発明を好適に利用できる。
【産業上の利用可能性】
【００８４】
本発明は、情報処理装置に利用できる他、蓋部材を有する筐体を備えたあらゆる電子機器に適用することができる。
【図面の簡単な説明】
【００８５】
【図１】本発明の一実施形態に係る情報処理装置を正面側から見た斜視図。
【図２】図１において蓋部材を開放した情報処理装置を正面側から見た斜視図。
【図３】前記実施形態における化粧板をずらした状態の情報処理装置を背面側から見た斜視図。
【図４】前記実施形態における化粧板を外した状態の情報処理装置を正面側から見た斜視図。
【図５】前記実施形態における上部筐体の内面部を示す斜視図。
【図６】図５の部分拡大図。
【図７】前記実施形態における情報処理装置を下方から見た斜視図。
【図８】前記実施形態における装置本体を示す分解斜視図。
【図９】前記実施形態における蓋部材の支持部材を示す斜視図。
【図１０】前記実施形態における支持部材をアーム側から見た斜視図。
【図１１】前記実施形態における蓋部材の外板部材を示す斜視図。
【図１２】前記実施形態における蓋部材が取り付けられた状態で上部筐体の内面部を部分拡大して示す斜視図。
【図１３】前記実施形態におけるねじりばねを示す図。
【図１４】前記実施形態における情報処理装置を側面側から見た部分断面図。
【図１５】図１４において蓋部材を開けた状態を示す部分断面図。
【図１６】図１５において蓋部材をさらに開けた状態を示す部分断面図。
【符号の説明】
【００８６】
１…情報処理装置（電子機器）、２…外装筐体（電子機器用筐体、筐体）、３…装置本体（機器本体）、２１…上部筐体（電子機器用筐体、筐体）、２２…下部筐体（電子機器用筐体、筐体）、２３…蓋部材、２３Ａ…ねじりばね（付勢手段）、２３１…支持部材、２３２…外板部材、２１１３…カードスロット部（凹部）、２１５２…回動軸部、２３１１…外板部材取付部（嵌合部）、２３１２…アーム、２３１３…アーム、２３２１…リブ、２３２２…リブ、２１１３１…開口、２１１３２…挿入口、２３１１１…突起（第二突起）、２３１１２…穴（第一穴）、２３２１１…孔（第二穴）、２３２２１…突起（第一突起）。
【図１】
2008077437.tif 000003
【図２】
2008077437.tif 000004
【図３】
2008077437.tif 000005
【図４】
2008077437.tif 000006
【図５】
2008077437.tif 000007
【図６】
2008077437.tif 000008
【図７】
2008077437.tif 000009
【図８】
2008077437.tif 000010
【図９】
2008077437.tif 000011
【図１０】
2008077437.tif 000012
【図１１】
2008077437.tif 000013
【図１２】
2008077437.tif 000014
【図１３】
2008077437.tif 000015
【図１４】
2008077437.tif 000016
【図１５】
2008077437.tif 000017
【図１６】
2008077437.tif 000018